(57)【要約】【課題】  コストを抑えたまま処理時間の短縮化が図られた画像処理装置および画像形成装置を提供する。【解決手段】  プラテンガラス上に載せた原稿から得られた鏡像を表わす画像データに対し、ＤＳＰ４６５により、主走査方向については第１のＳＤＲＡＭ部４６６ａのアドレスと第２のＳＤＲＡＭ部４６６ｂのアドレスの上位下位を揃え、副走査方向については第１のＳＤＲＡＭ部４６６ａのアドレスと第２のＳＤＲＡＭ部４６６ｂのアドレスの上位と下位を反転させて、第１のＳＤＲＡＭ部４６６ａから第２のＳＤＲＡＭ部４６６ｂに転送し、さらに、ＤＭＡ転送部４６７ａにより、第２のＳＤＲＡＭ部４６６ｂに記憶された画像データを、主走査方向と副走査方向との双方について下位アドレスから上位アドレスに向けて順次読み出して本体制御部に向けて出力する。【選択図】  図３
2009055225.tif 000002
【特許請求の範囲】
【請求項１】
原稿を１枚ずつ反転させて送り込みながら、該原稿の進行方向と交わる主走査方向に主走査するとともに該原稿の進行方向を副走査方向として該副走査方向に副走査することにより該原稿を読み取って画像データを取得する第１の読取モードと、原稿を原稿台上に載せて該原稿を前記主走査方向に主走査するとともに前記副走査方向に副走査することにより該原稿を読み取って画像データを取得する第２の読取モードとを有する原稿読取装置からの画像データの入力を受けるデータ入力部と、
前記データ入力部から入力された画像データを記憶する第１の記憶部と、
前記第１の記憶部から転送されてきた画像データを記憶する第２の記憶部と、
前記第１の記憶部に記憶されている画像データが前記第１の読取モードで得られた画像データであるか前記第２の読取モードで得られた画像データであるかに応じて、一方の読取モードで得られた画像データについては、前記第１の記憶部から前記第２の記憶部に、主走査方向および副走査方向双方について該第１の記憶部のアドレスと該第２の記憶部のアドレスの上位下位を揃えて転送し、他方の読取モードで得られた画像データについては、前記第１の記憶部から前記第２の記憶部に、主走査方向については該第１の記憶部のアドレスと該第２の記憶部のアドレスの上位下位を揃え、副走査方向については該第１の記憶部のアドレスと該第２の記憶部のアドレスの上位と下位を反転させて転送するデータ転送部と、
前記第２の記憶部に記憶された画像データを、該画像データが前記一方の読取モードで得られた画像データであるか前記他方の読取モードで得られた画像データであるかに応じて、該一方の読取モードで得られた画像データについては主走査方向と副走査方向との双方について上位アドレスから下位アドレスに向けて順次読み出して出力し、該他方の読取モードで得られた画像データであるときは、主走査方向と副走査方向との双方について下位アドレスから上位アドレスに向けて順次読み出して出力するデータ出力部とを備えたことを特徴とする画像処理装置。
【請求項２】
前記データ転送部は、前記第１の読取モードを前記一方の読取モードとし前記第２の読取モードを前記他方の読取モードとして、前記第１の記憶部から前記第２の記憶部に画像データを転送するものであり、
前記データ出力部は、前記第１の読取モードを前記一方の読取モードとし前記第２の読取モードを前記他方の読取モードとして、前記第２の記憶部から画像データを読み出して出力するものであることを特徴とする請求項１記載の画像処理装置。
【請求項３】
原稿を１枚ずつ反転させて送り込みながら、該原稿の進行方向と交わる主走査方向に主走査するとともに該原稿の進行方向を副走査方向として該副走査方向に副走査することにより該原稿を読み取って画像データを取得する第１の読取手段と、
原稿を原稿台上に載せて、該原稿を前記主走査方向に主走査するとともに前記副走査方向に副走査することにより該原稿を読み取って画像データを取得する第２の読取手段とを有する原稿読取部、
前記原稿読取部からの画像データの入力を受けるデータ入力手段と、
前記データ入力手段から入力された画像データを記憶する第１の記憶手段と、
前記第１の記憶手段から転送されてきた画像データを記憶する第２の記憶手段と、
前記第１の記憶手段に記憶されている画像データが前記第１の読取手段で得られた画像データであるか前記第２の読取手段で得られた画像データであるかに応じて、一方の読取手段で得られた画像データについては、前記第１の記憶手段から前記第２の記憶手段に、主走査方向および副走査方向双方について該第１の記憶手段のアドレスと該第２の記憶手段のアドレスの上位下位を揃えて転送し、他方の読取手段で得られた画像データについては、前記第１の記憶手段から前記第２の記憶手段に、主走査方向については該第１の記憶手段のアドレスと該第２の記憶手段のアドレスの上位下位を揃え、副走査方向については該第１の記憶手段のアドレスと該第２の記憶手段のアドレスの上位と下位を反転させて転送するデータ転送手段と、
前記第２の記憶手段に記憶された画像データを、該画像データが前記一方の読取手段で得られた画像データであるか前記他方の読取手段で得られた画像データであるかに応じて、該一方の読取手段で得られた画像データについては主走査方向と副走査方向との双方について上位アドレスから下位アドレスに向けて順次読み出して出力し、該他方の読取手段で得られた画像データであるときは、主走査方向と副走査方向との双方について下位アドレスから上位アドレスに向けて順次読み出して出力するデータ出力手段とを有する画像処理部、および
前記画像処理部から出力された画像データを受け取り、該画像データに基づく画像をプリント出力する画像出力部とを備えたことを特徴とする画像形成装置。
【請求項４】
前記データ転送手段は、前記第１の読取手段を前記一方の読取手段とし前記第２の読取手段を前記他方の読取手段として、前記第１の記憶手段から前記第２の記憶手段に画像データを転送するものであり、
前記データ出力手段は、前記第１の読取手段を前記一方の読取手段とし前記第２の読取手段を前記他方の読取手段として、前記第２の記憶手段から画像データを読み出して出力するものであることを特徴とする請求項３記載の画像形成装置。
【請求項５】
前記画像出力部は、用紙の表裏面の双方に画像を形成する両面コピーモードを有するものであることを特徴とする請求項３又は４記載の画像形成装置。
【請求項６】
前記画像処理部は、プログラムの実行により処理を実行するものであって、該プログラムが格納されるプログラム記憶手段と、前記第１の記憶手段と、前記第２の記憶手段とが共通のメモリを共有することを特徴とする請求項３記載の画像形成装置。
【発明の詳細な説明】
【技術分野】
【０００１】
本発明は、画像処理装置および画像形成装置に関する。
【背景技術】
【０００２】
従来より、原稿を読み取って画像データを取得する原稿読取装置が知られている。
【０００３】
原稿読取装置では、プラテンガラスと呼ばれるガラス板の上に置かれた原稿に向けて、露光光源を走査させながら光を照射し、原稿からの反射光を受像センサ上に結像させることで画像データを得ている。
【０００４】
また、原稿読取装置には、所定の給紙手段上に重ねて置かれた原稿を１枚ずつ反転させてプラテンガラス上に送り込む自動原稿送り部を備えたものがあり、この自動原稿送り部を用いた場合の原稿の読み取りは、コンタクトガラスの下面側からこのコンタクトガラスの上面側を通過する原稿に向けて、静止した露光光源から露光光をコンタクトガラス越しに照射し、その原稿からの反射光を受像センサ上に結像させることで行なわれる。
【０００５】
この自動原稿送り部を用いた場合の原稿の読み取りは、静止した露光光源からの露光光の照射により行なわれる。即ち、静止した露光光源の上を、原稿が、例えば左方向から右方向に移動することにより、その原稿の読み取りが行なわれる。一方、プラテンガラス上に原稿を置いた場合の原稿の読み取りは、露光光源を走査させながら行なわれる。即ち、静止した原稿の下を、露光光源が移動することにより、その原稿の読み取りが行なわれる。
【０００６】
このため、原稿読取装置において、自動原稿送り部を用いて原稿を読み取って得られた画像データからなる画像を正像とすると、プラテンガラス上に原稿を載せて得られた画像データからなる画像は、露光光源が移動する副走査方向とは直角な主走査方向に反転した鏡像となる。
【０００７】
ここで、原稿読取装置で取得した画像データを入力して画像処理し、画像処理されたデータをプリンタ等に出力する画像処理装置が知られている。この画像処理装置において、鏡像を正像に変換するための技術がいくつか提案されている。
【０００８】
例えば、特許文献１には、画像を構成するラインデータをラインバッファへ転送する際に、書込みアドレスと読出しアドレスとを交互に切り替える技術が提案されている。
【０００９】
また、例えば、特許文献２には、画像を構成するラインデータをラインバッファへ転送する際に、書込み順とは逆順にアドレス発生器で読出しアドレスを発生させる技術が提案されている。
【特許文献１】特開平８−３２１９３１号公報
【特許文献２】特開２００１−３０９１５１号公報
【発明の開示】
【発明が解決しようとする課題】
【００１０】
上述した画像処理装置は、複写機等の画像形成装置に組み込まれるが、このような画像形成装置では、コストの低減化および処理時間の短縮化が重要な課題となっている。従って、画像形成装置に組み込まれる画像処理装置のコストの低減化および処理時間の短縮化も重要な課題である。
【００１１】
本発明は、上記事情に鑑み、コストを抑えたまま処理時間の短縮化が図られた画像処理装置および画像形成装置を提供することを目的とする。
【課題を解決するための手段】
【００１２】
上記目的を達成する本発明の画像処理装置は、
原稿を１枚ずつ反転させて送り込みながら、その原稿の進行方向と交わる主走査方向に主走査するとともにその原稿の進行方向を副走査方向としてその副走査方向に副走査することによりその原稿を読み取って画像データを取得する第１の読取モードと、原稿を原稿台上に載せてその原稿を上記主走査方向に主走査するとともに上記副走査方向に副走査することによりその原稿を読み取って画像データを取得する第２の読取モードとを有する原稿読取装置からの画像データの入力を受けるデータ入力部と、
上記データ入力部から入力された画像データを記憶する第１の記憶部と、
上記第１の記憶部から転送されてきた画像データを記憶する第２の記憶部と、
上記第１の記憶部に記憶されている画像データが上記第１の読取モードで得られた画像データであるか上記第２の読取モードで得られた画像データであるかに応じて、一方の読取モードで得られた画像データについては、上記第１の記憶部から上記第２の記憶部に、主走査方向および副走査方向双方についてその第１の記憶部のアドレスとその第２の記憶部のアドレスの上位下位を揃えて転送し、他方の読取モードで得られた画像データについては、上記第１の記憶部から上記第２の記憶部に、主走査方向についてはその第１の記憶部のアドレスとその第２の記憶部のアドレスの上位下位を揃え、副走査方向についてはその第１の記憶部のアドレスとその第２の記憶部のアドレスの上位と下位を反転させて転送するデータ転送部と、
上記第２の記憶部に記憶された画像データを、その画像データが上記一方の読取モードで得られた画像データであるか上記他方の読取モードで得られた画像データであるかに応じて、その一方の読取モードで得られた画像データについては主走査方向と副走査方向との双方について上位アドレスから下位アドレスに向けて順次読み出して出力し、その他方の読取モードで得られた画像データであるときは、主走査方向と副走査方向との双方について下位アドレスから上位アドレスに向けて順次読み出して出力するデータ出力部とを備えたことを特徴とする。
【００１３】
ここで、上記データ転送部は、上記第１の読取モードを上記一方の読取モードとし上記第２の読取モードを上記他方の読取モードとして、上記第１の記憶部から上記第２の記憶部に画像データを転送するものであり、
上記データ出力部は、上記第１の読取モードを上記一方の読取モードとし上記第２の読取モードを上記他方の読取モードとして、上記第２の記憶部から画像データを読み出して出力するものであることが好ましい。
【００１４】
また、上記目的を達成する本発明の画像形成装置は、
原稿を１枚ずつ反転させて送り込みながら、その原稿の進行方向と交わる主走査方向に主走査するとともにその原稿の進行方向を副走査方向としてその副走査方向に副走査することによりその原稿を読み取って画像データを取得する第１の読取手段と、
原稿を原稿台上に載せて、その原稿を上記主走査方向に主走査するとともに上記副走査方向に副走査することによりその原稿を読み取って画像データを取得する第２の読取手段とを有する原稿読取部、
上記原稿読取部からの画像データの入力を受けるデータ入力手段と、
上記データ入力手段から入力された画像データを記憶する第１の記憶手段と、
上記第１の記憶手段から転送されてきた画像データを記憶する第２の記憶手段と、
上記第１の記憶手段に記憶されている画像データが上記第１の読取手段で得られた画像データであるか上記第２の読取手段で得られた画像データであるかに応じて、一方の読取手段で得られた画像データについては、上記第１の記憶手段から上記第２の記憶手段に、主走査方向および副走査方向双方についてその第１の記憶手段のアドレスとその第２の記憶手段のアドレスの上位下位を揃えて転送し、他方の読取手段で得られた画像データについては、上記第１の記憶手段から上記第２の記憶手段に、主走査方向についてはその第１の記憶手段のアドレスとその第２の記憶手段のアドレスの上位下位を揃え、副走査方向についてはその第１の記憶手段のアドレスとその第２の記憶手段のアドレスの上位と下位を反転させて転送するデータ転送手段と、
上記第２の記憶手段に記憶された画像データを、その画像データが上記一方の読取手段で得られた画像データであるか上記他方の読取手段で得られた画像データであるかに応じて、その一方の読取手段で得られた画像データについては主走査方向と副走査方向との双方について上位アドレスから下位アドレスに向けて順次読み出して出力し、その他方の読取手段で得られた画像データであるときは、主走査方向と副走査方向との双方について下位アドレスから上位アドレスに向けて順次読み出して出力するデータ出力手段とを有する画像処理部、および
上記画像処理部から出力された画像データを受け取り、その画像データに基づく画像をプリント出力する画像出力部とを備えたことを特徴とする。
【００１５】
ここで、上記データ転送手段は、上記第１の読取手段を上記一方の読取手段とし上記第２の読取手段を上記他方の読取手段として、上記第１の記憶手段から上記第２の記憶手段に画像データを転送するものであり、
上記データ出力手段は、上記第１の読取手段を上記一方の読取手段とし上記第２の読取手段を上記他方の読取手段として、上記第２の記憶手段から画像データを読み出して出力するものであることが好ましい。
【００１６】
また、上記画像出力部は、用紙の表裏面の双方に画像を形成する両面コピーモードを有するものであることも好ましい態様である。
【００１７】
さらに、上記画像処理部は、プログラムの実行により処理を実行するものであって、そのプログラムが格納されるプログラム記憶手段と、上記第１の記憶手段と、上記第２の記憶手段とが共通のメモリを共有することが好ましい。
【発明の効果】
【００１８】
請求項１記載の画像処理装置によれば、原稿読取装置から入力された主走査方向について鏡像となる画像を表わす画像データに対し、主走査方向については第１の記憶部のアドレスと第２の記憶部のアドレスの上位下位を揃え、副走査方向については第１の記憶部のアドレスと第２の記憶部のアドレスの上位と下位を反転させて、第１の記憶部から第２の記憶部に転送する。ここで、第１の記憶部から第２の記憶部への転送は、その画像処理装置その時その時のモードに応じた画像処理に伴う場合が通常であり、その場合、副走査方向についての転送は各ライン毎にアドレスを指定して行なわれるのが通常であり、アドレスの上位と下位を揃えて転送する場合であってもアドレスの上位と下位を反転させて転送する場合であっても転送に要する時間はさほど変わらず、従って副走査方向について第１の記憶部のアドレスと第２の記憶部のアドレスの上位と下位を反転させて第１の記憶部から第２の記憶部に転送する時間が長くなるということが抑えられている。
【００１９】
さらに、第２の記憶部に記憶された画像データを、主走査方向と副走査方向との双方について下位アドレスから上位アドレスに向けて順次読み出して出力する。ここでの処理は、両面印刷時に用紙の裏に印刷する画像の向きを回転させる機能、いわゆる両面印刷用の１８０°回転機能を実現するための、後述する実施形態に示すＤｅｃｒｅｍｅｎｔ  ＤＭＡ（Ｄｉｒｅｃｔ  Ｍｅｍｏｒｙ  Ａｃｃｅｓｓ）転送機能を有する半導体デバイスを好適に用いることができる。この機能は、両面印刷時にもともと必要な機能であることからコストを抑えることができる。従って、請求項１記載の画像処理装置によれば、コストを抑えたまま短い処理時間で、原稿読取装置から入力された画像データからなる主走査方向についての鏡像を正像に変換して出力することができる。
【００２０】
請求項２記載の画像処理装置によれば、原稿読取装置からの、原稿を原稿台に載せて得られた画像データからなる主走査方向について鏡像となる画像を、開発のためのコストを抑えたまま短い処理時間で、正像に変換して出力することができる。
【００２１】
請求項３記載の画像形成装置によれば、請求項１記載の画像処理装置と同じ機能を有する画像処理部の機能により、コストを抑えたまま短い処理時間で用紙上に画像を形成することができる。
【００２２】
請求項４記載の画像形成装置によれば、コストを抑えたまま短い処理時間で、原稿読取部からの、原稿を原稿台上に載せて得られた画像データに基づいて、用紙上に画像を形成することができる。
【００２３】
請求項５記載の画像形成装置によれば、請求項３記載のデータ出力手段と同じ機能を有するデータ出力手段を採用することにより好適に両面コピー機能を実現することができる。
【００２４】
請求項６記載の画像形成装置によれば、プログラム記憶手段と、第１の記憶手段と、第２の記憶手段とを共有することで、特別な記憶手段を設けることなくコストを抑えることができる。
【発明を実施するための最良の形態】
【００２５】
以下、本発明の実施形態について説明する。
【００２６】
図１は、本発明の画像形成装置の一実施形態の概略構成図である。
【００２７】
図１には、本実施形態である複写機１が示されており、この複写機１は、１枚もしくは複数枚の原稿が載せられる給紙手段３０１を有する原稿送込ユニット３と、この原稿送込ユニット３が載せられたスキャナユニット４と、このスキャナユニット４の下に配置された本体ユニット５と、この本体ユニット５に対して図の右側に隣接配置された後処理ユニット１０と、この後処理ユニット１０の上方に位置するユーザインタフェイスユニット２とで構成されている。
【００２８】
ユーザインタフェイスユニット２は、原稿の読取りが原稿の片面あるいは両面のうちいずれであるかの指定や、複写する記録用紙のサイズおよび枚数の指定などをユーザが行なう際に使用される。
【００２９】
スキャナユニット４では、原稿送込ユニット３から送り込まれた原稿の画像をスキャンすることで、その原稿の画像を表わす画像データが得られる。また、このスキャナユニット４では、詳しくは図２に示す、このスキャナユニット４の上部に嵌め込まれたプラテンガラス４８に載せられた原稿の画像の読取りも可能となっている。
【００３０】
本体ユニット５では、スキャナユニット４で得られた画像データに基づいて記録用紙に画像が記録される。
【００３１】
後処理ユニット１０では、画像が記録された記録用紙に折り曲げ処理や綴じ処理が行なわれる。
【００３２】
また、本体ユニット５には、画像が記録された記録用紙が排出される排紙台５００が備えられている。さらに、後処理ユニット１０には、後処理がなされた記録用紙が排出される排紙台１０００が備えられている。
【００３３】
図２は、図１に示す原稿送込ユニット、スキャナユニット、および本体ユニットの内部構成図である。
【００３４】
原稿送込ユニット３は、筐体３０と、図１にも示す給紙手段３０１と、この給紙手段３０１に載せられた原稿２００を一枚ずつ搬送路３１ａに沿って送り込む自動原稿送り部３１とを有しており、この原稿送込ユニット３では、搬送路３１ａに沿って搬送された原稿２００は、筐体３０の上面３０ａに排出されるようになっている。また、この自動原稿送り部３１は、ユーザインタフェイスユニット２における、原稿２００の表裏面への画像読取指示があった場合には、搬送路３１ａを一旦通過させた原稿２００を反転搬送路３１ｂに送り込み、この原稿２００の表裏を反転させ、その後再び搬送路３１ａに沿ってこの原稿２００を搬送する。
【００３５】
スキャナユニット４は、原稿送込ユニット３の筐体３０が上部に開閉自在に取り付けられたものであって、原稿送込ユニット３によって搬送されてきた原稿と対向する位置に備えられたコンタクトガラス４７と、コンタクトガラス４７に隣接して配備されユーザによって原稿が一枚ずつ載せられるプラテンガラス４８を有する。また、このスキャナユニット４は、図２における手前側から奥側にかけて延在して配備され、原稿に向けて露光光を照射する光源４２１と、原稿２００で反射してきた反射光を水平方向に向けさせる反射ミラー４３１と、この反射ミラー４３１によって水平方向に向けられた反射光の向きを逆向きにする一対の反射ミラー４４１を有するミラーユニット４４と、このミラーユニット４４からの反射光を結像させるレンズ４５１と、レンズ４５１により結像された光像を受像して画像データを出力する受像センサであるＣＣＤ（Ｃｈａｒｇｅ  Ｃｏｕｐｌｅｄ  Ｄｅｖｉｃｅ）４５２と、このＣＣＤ４５２から出力されるアナログの画像データを入力して後述するようにして画像処理する画像処理部４６０（本発明の画像形成装置における画像処理部の一例に相当するとともに、本発明の画像処理装置の一例に相当する）とを有する。
【００３６】
この複写機１では、原稿送込ユニット３を構成する自動原稿送り部３１により自動搬送されてくる原稿２００の読取り（画像データの取得）は、光源４２１，反射ミラー４３１，ミラーユニット４４を静止させた状態でコンタクトガラス４７を介して行なわれる。ここで、原稿送込ユニット３、コンタクトガラス４７、光源４２１、反射ミラー４３１、ミラーユニット４４、レンズ４５１、ＣＣＤ４５２が、本発明にいう第１の読取手段の一例に相当する。
【００３７】
また、この複写機１では、プラテンガラス４８上に原稿２００を１枚ずつ載せて行なう読取りは、光源４２１，反射ミラー４３１，ミラーユニット４４を図２における左右方向に走査移動させて行なわれる。ここで、プラテンガラス４８、光源４２１、反射ミラー４３１、ミラーユニット４４、レンズ４５１、ＣＣＤ４５２が、本発明にいう第２の読取手段の一例に相当する。尚、これら第１，第２の読取手段の一例から本発明にいう原稿読取部の一例が構成されている。
【００３８】
本体ユニット５は、本発明にいう画像出力部の一例に相当し、後述する画像処理部４６０から出力された画像データを受け取る本体制御部７と、この本体制御部７からの画像データに基づいた露光光を照射する露光部８を有する。また、この本体ユニット５は、像保持体５０と、帯電器５１と、現像器５２と、転写器５３と、定着器５４と、用紙搬送部５５と、給紙装置５６とを有する。さらに、この本体ユニット５は、記録用紙の表裏面の双方に画像を形成する両面コピーモードを有するものである。
【００３９】
この複写機１では、帯電器５１により所定の電荷が付与された、矢印Ａ方向に回転する像保持体５０の表面に、上述の露光部８で生成した露光光を照射することで形成した静電潜像を、現像器５２に収容したトナーで現像し、この現像により得られた現像像を、給紙装置５６から用紙搬送部５５により引き出され矢印Ｂ方向に搬送されてきた記録用紙上に転写器５３によって転写し、定着器５４により定着することにより記録用紙上にモノクロ画像が形成される。また、この本体ユニット５には、記録用紙の両面への画像記録指示があった場合、および、画像が記録された記録用紙を後処理ユニット１０へ搬送する場合に、定着を終えた記録用紙を排紙台５００ではなく搬送経路Ｃに向かわせる第１経路切替部５７、搬送経路Ｃに導かれた記録用紙の経路を、後処理ユニット１０へ搬送するための搬送経路Ｄと、記録用紙の両面に画像を記録するための搬送経路Ｅとのいずれかに切り替える第２経路切替部５８、および搬送経路Ｅに導かれてきた記録用紙の表裏を反転させ搬送経路Ｆに送り出す用紙反転部５９が備えられている。
【００４０】
図３は、図２に示す画像処理部の回路構成を示す図である。
【００４１】
図３に示す画像処理部４６０は、プログラムの実行により処理を実行するものであって、この画像処理部４６０には、ＡＦＥ（Ａｎａｌｏｇ  Ｆｒｏｎｔ  Ｅｎｄ）４６１と、ＳＣＩ（Ｓｃａｎｎｅｒ  Ｉｎｔｅｒｆａｃｅ）４６２と、バスライン４６３と、ＣＰＵ（Ｃｅｎｔｒａｌ  Ｐｒｏｃｅｓｓｉｎｇ  Ｕｎｉｔ）４６４とが備えられている。ここで、ＡＦＥ４６１およびＳＣＩ４６２が本発明にいうデータ入力手段の一例に相当する。ＡＦＥ４６１は、ＣＣＤ４５２からのアナログの画像データをデジタルの画像データにＡ/Ｄ変換する。Ａ/Ｄ変換されたデジタルの画像データは、ＳＣＩ４６２で受け取られる。
【００４２】
また、この画像処理部４６０には、ＤＳＰ（Ｄｉｇｉｔａｌ  Ｓｉｇｎａｌ  Ｐｒｏｃｅｓｓｏｒ）４６５と、第１のＳＤＲＡＭ部４６６ａおよび第２のＳＤＲＡＭ部４６６ｂを有するＳＤＲＡＭ４６６が備えられている。ここで、第１のＳＤＲＡＭ部４６６ａは、本発明にいう第１の記憶手段の一例に相当する。また、第２のＳＤＲＡＭ部４６６ｂは、本発明にいう第２の記憶手段の一例に相当する。ＣＰＵ４６４は、ＳＣＩ４６２からの画像データを第１のＳＤＲＡＭ部４６６ａに転送する。これにより、第１のＳＤＲＡＭ部４６６ａに、ＳＣＩ４６２からの画像データが記憶される。ここで、ＳＤＲＡＭ４６６は、上記第１のＳＤＲＡＭ部４６６ａおよび上記第２のＳＤＲＡＭ部４６６ｂに加え、この画像処理部４６０の処理を実行するプログラムが格納されるプログラム記憶手段を有する。
【００４３】
第１のＳＤＲＡＭ部４６６ａに記憶された画像データは、ＤＳＰ４６５で所定の画像処理が施され、第２のＳＤＲＡＭ部４６６ｂに転送される。ここで、ＤＳＰ４６５は、本発明にいうデータ転送手段の一例に相当し、詳細には、第１のＳＤＲＡＭ部４６６ａに記憶されている画像データが自動原稿送り部により自動送りされた原稿から得られた画像データである場合、その画像データを画像処理して第１のＳＤＲＡＭ部４６６ａから第２のＳＤＲＡＭ部４６６ｂに転送するにあたり、主走査方向および副走査方向双方について第１のＳＤＲＡＭ部４６６ａのアドレスと第２のＳＤＲＡＭ部４６６ｂのアドレスの上位下位を揃えて転送する。一方、プラテンガラス上に載せた原稿から得られた画像データである場合、その画像データを画像処理して第１のＳＤＲＡＭ部４６６ａから第２のＳＤＲＡＭ部４６６ｂに転送するにあたり、主走査方向については第１のＳＤＲＡＭ部４６６ａのアドレスと第２のＳＤＲＡＭ部４６６ｂのアドレスの上位下位を揃えて転送し、副走査方向については第１のＳＤＲＡＭ部４６６ａのアドレスと第２のＳＤＲＡＭ部４６６ｂのアドレスの上位と下位を反転させて転送する。ここで、副走査方向についての転送は各ライン毎にアドレスを指定して行なわれるため、アドレスの上位と下位を揃えて転送する場合であってもアドレスの上位と下位を反転させて転送する場合であってもアドレスを指定するために要する時間はさほど変わらず、従って副走査方向について第１のＳＤＲＡＭ部４６６ａのアドレスと第２のＳＤＲＡＭ部４６６ｂのアドレスの上位と下位を反転させて第１のＳＤＲＡＭ部４６６ａから第２のＳＤＲＡＭ部４６６ｂに転送する時間が長くなるということが抑えられている。
【００４４】
さらに、この画像処理部４６０には、ＰＲＩ（Ｐｒｉｔｅｒ  Ｉｎｔｅｒｆａｃｅ）４６７が備えられている。このＰＲＩ４６７には、本発明にいうデータ出力手段の一例であるＤＭＡ転送部４６７ａが備えられている。
【００４５】
ＤＭＡ転送部４６７ａは、初期アドレスからアドレス値が増加していく、いわゆる一般的なＩｎｃｒｅｍｅｎｔ  ＤＭＡ機能を有する。また、このＤＭＡ転送部４６７ａは、初期アドレスからアドレス値が減少していく、Ｄｅｃｒｅｍｅｎｔ  ＤＭＡ転送機能を有する。従来より、このＤｅｃｒｅｍｅｎｔ  ＤＭＡ転送機能を有する半導体デバイスが知られており、この半導体デバイスにより、両面印刷時に用紙の裏に印刷する画像の向きを回転させる機能（両面印刷用の１８０°回転機能）を実現している。本実施形態では、この半導体デバイスをＤＭＡ転送部４６７ａとして用いており、両面印刷時にもともと必要な機能であることから、コストが抑えられている。
【００４６】
このＤＭＡ転送部４６７ａは、第２のＳＤＲＡＭ部４６６ｂに記憶された画像データを、その画像データが自動原稿送り部により自動送りされた原稿から得られた画像データについては主走査方向と副走査方向との双方について上位アドレスから下位アドレスに向けて順次読み出して本体制御部７（図２参照）に出力する（一般的なＤＭＡ転送機能による出力）。一方、プラテンガラス上に載せた原稿から得られた画像データであるときは、主走査方向と副走査方向との双方について下位アドレスから上位アドレスに向けて順次読み出して本体制御部７に出力する（Ｄｅｃｒｅｍｅｎｔ  ＤＭＡ転送機能による出力）。
【００４７】
図４は、自動原稿送り部により自動送りされた原稿から得られた画像データを本体制御部に向けて出力する様子を説明するための図である。
【００４８】
図４（ａ）に示す原稿を自動原稿送り部３１（図２参照）を使用してコピーする場合、その原稿の進行方向と交わる主走査（ＦＳ：Ｆａｓｔ  Ｓｃａｎ）方向に主走査するとともにその原稿の進行方向を副走査（ＳＳ：Ｓｌｏｗ  Ｓｃａｎ）方向としてその副走査方向に副走査する（図４（ｂ））。これにより、その原稿がＣＣＤ４５２で読み取られてＡ/Ｄ変換され、Ａ/Ｄ変換された画像データがＣＰＵ４６４により、第１のＳＤＲＡＭ部４６６ａの上位アドレスから下位アドレスへ転送され、図４（ｃ）に示す正像が得られる。詳細には、主走査方向については各ラインデータ内の各画素データが上位アドレスから下位アドレスへ（図４の左から右の方向へ）転送され、副走査方向については各ラインデータ毎に上位アドレスから下位アドレスへ（図４の上から下の方向へ）と転送される。
【００４９】
次に、図４（ｄ）に示すように、ＤＳＰ４６５により、第１のＳＤＲＡＭ部４６６ａの画像データが上位アドレスから読み出されて所定の画像処理が施されて、第２のＳＤＲＡＭ部４６６ｂに転送される（図４（ｅ））。
【００５０】
さらに、（図４（ｆ））に示すように、ＤＭＡ転送部４６７ａにより、第２のＳＤＲＡＭ部４６６ａの画像データが上位アドレスから読み出され、このＤＭＡ転送部４６７ａが有する一般的なＩｎｃｒｅｍｅｎｔ  ＤＭＡ機能により、本体制御部７に向けて画像データが転送される（図４（ｇ））。詳細には、主走査方向については各ラインデータ内の各画素データが上位アドレスから下位アドレスへ転送され、副走査方向については各ラインデータ毎に上位アドレスから下位アドレスへと転送される。
【００５１】
図５は、プラテンガラス上に載せた原稿から得られた画像データを本体制御部に向けて出力する様子を説明するための図である。
【００５２】
図５（ａ）に示す原稿をプラテンガラス４８（図２参照）を使用してコピーする場合、その原稿を主走査（ＦＳ：Ｆａｓｔ  Ｓｃａｎ）方向に主走査するとともにその原稿を副走査（ＳＳ：Ｓｌｏｗ  Ｓｃａｎ）方向に副走査する（図５（ｂ））。これにより、その原稿がＣＣＤ４５２で読み取られてＡ/Ｄ変換され、Ａ/Ｄ変換された画像データがＣＰＵ４６４により、第１のＳＤＲＡＭ部４６６ａの上位アドレスから下位アドレスへ転送され、図５（ｃ）に示す鏡像が得られる。
【００５３】
次に、図５（ｄ）に示すように、ＤＳＰ４６５により、第１のＳＤＲＡＭ部４６６ａの画像データが上位アドレスから読み出されて所定の画像処理が施されて、第２のＳＤＲＡＭ部４６６ｂに転送される（図５（ｅ））。ここで、第２のＳＤＲＡＭ部４６６ｂへの転送にあたっては、主走査方向については、各ラインデータ内の各画素データが上位アドレスから下位アドレスへ（図５の左から右の方向へ）転送され、副走査方向については、各ラインデータ毎に下位アドレスから上位アドレスへ（図５の上から下の方向へ）と転送される。
【００５４】
さらに、（図５（ｆ））に示すように、ＤＭＡ転送部４６７ａが有するＤｅｃｒｅｍｅｎｔ  ＤＭＡ転送機能により、第２のＳＤＲＡＭ部４６６ａの画像データが下位アドレスから読み出されて、本体制御部７に向けて画像データが転送される（図５（ｇ））。
【００５５】
尚、上述した実施形態では、自動原稿送り部を用いて原稿を自動送りした場合が正像、プラテンガラス上に原稿を載せて読み取った場合が鏡像となる旨説明したが、主走査方向が逆の装置の場合は、自動原稿送り部を用いて原稿を自動送りした場合が鏡像、プラテンガラス上に原稿を載せて読み取った場合が正像となり、したがってこのように構成された装置の場合は、自動原稿送り部で得られた鏡像について正像に変換する処理が行なわれる。
【図面の簡単な説明】
【００５６】
【図１】本発明の画像形成装置の一実施形態の概略構成図である。
【図２】図１に示す原稿送込ユニット、スキャナユニット、および本体ユニットの内部構成図である。
【図３】図２に示す画像処理部の回路構成を示す図である。
【図４】自動原稿送り部により自動送りされた原稿から得られた画像データを本体制御部に向けて出力する様子を説明するための図である。
【図５】プラテンガラス上に載せた原稿から得られた画像データを本体制御部に向けて出力する様子を説明するための図である。
【符号の説明】
【００５７】
１  複写機
２  ユーザインタフェイスユニット
３  原稿送込ユニット
４  スキャナユニット
５  本体ユニット
７  本体制御部
８  露光部
１０  後処理ユニット
３０  筐体
３０ａ  筐体の上面
３１  自動原稿送り部
３１ａ  搬送路
３１ｂ  反転搬送路
４４  ミラーユニット
４７  コンタクトガラス
４８  プラテンガラス
５０  像保持体
５１  帯電器
５２  現像器
５３  転写器
５４  定着器
５５  用紙搬送部
５６  給紙装置
５７  第１経路切替部
５８  第２経路切替部
５９  用紙反転部
２００  原稿
３０１  給紙手段
４２１  光源
４３１，４４１  反射ミラー
４５１  レンズ
４５２  ＣＣＤ
４６０  画像処理部
４６１  ＡＦＥ
４６２  ＳＣＩ
４６３  バスライン
４６４  ＣＰＵ
４６５  ＤＳＰ
４６６ａ  第１のＳＤＲＡＭ部
４６６ｂ  第２のＳＤＲＡＭ部
４６７  ＰＲＩ
４６７ａ  ＤＭＡ転送部
５００，１０００  排紙台
【図１】
2009055225.tif 000003
【図２】
2009055225.tif 000004
【図３】
2009055225.tif 000005
【図４】
2009055225.tif 000006
【図５】
2009055225.tif 000007